(57)【要約】      （修正有）【課題】観賞容器の内側に他の容器を配置させた場合に、二つの容器の間から液体が漏れることを防止する観賞容器システムを提供する。【解決手段】観賞容器システムは、開口４を有し、植物の保存液を貯留する透光性の観賞容器１と、前記開口に挿入される内側容器８と、該内側容器及び開口の隙間を封止する封止部材とを備える。好ましくは、観賞容器システムは、前記開口を覆い、前記内側容器又は封止部材の移動を阻止するキャップを更に備える。【選択図】図２
2020137798.tif 000002
【特許請求の範囲】
【請求項１】
開口を有し、植物の保存液を貯留する透光性の観賞容器と、
前記開口に挿入される内側容器と、
該内側容器及び開口の隙間を封止する封止部材と
を備える観賞容器システム。
【請求項２】
前記開口を覆い、前記内側容器又は封止部材の移動を阻止するキャップを備える
請求項１に記載の観賞容器システム。
【請求項３】
前記内側容器は第２開口を有し、該第２開口の反対側から前記開口に挿入されており、
前記開口に対して同軸的に配置される貫通孔を前記キャップは備える
請求項２に記載の観賞容器システム。
【請求項４】
前記観賞容器の一面から筒状の雄ねじが突出しており、
前記雄ねじの端部に前記開口が形成され、
前記キャップには、前記雄ねじに連結する雌ねじが形成され、
前記キャップの前記開口に対向する部分によって、前記内側容器又は封止部材の移動を阻止する
請求項２又は３に記載の観賞容器システム。
【請求項５】
前記封止部材は、
前記雄ねじの内周面を覆う筒部と、
該筒部の端部に形成され、前記開口の上縁部を覆うフランジ部と
を備え、
前記キャップの前記開口に対向する部分は、前記封止部材に向けて突出した突出部を備える
請求項４に記載の観賞容器システム。
【発明の詳細な説明】
【技術分野】
【０００１】
本技術は、観賞容器に保存液及び植物を入れて、植物を観賞する観賞容器システムに関する。
【背景技術】
【０００２】
従来、栓兼用花器を魔法瓶の中に挿入し、魔法瓶の中に氷又は冷水を入れ、栓兼用花器に生けた花を冷やす構成が従来開示されている（例えば特許文献１参照）。
【先行技術文献】
【特許文献】
【０００３】
【特許文献１】実開昭６２−１７４４７３号公報
【発明の概要】
【発明が解決しようとする課題】
【０００４】
しかし、栓兼用花器と魔法瓶との隙間から液体が漏れるおそれがある。
【０００５】
本開示は斯かる事情に鑑みてなされたものであり、観賞容器の内側に他の容器を配置させた場合に、二つの容器の間から液体が漏れることを防止する観賞容器システムを提供することを目的とする。
【課題を解決するための手段】
【０００６】
本開示に係る観賞容器システムは、開口を有し、植物の保存液を貯留する透光性の観賞容器と、前記開口に挿入される内側容器と、該内側容器及び開口の隙間を封止する封止部材とを備える。
【０００７】
本開示に係る観賞容器システムは、前記開口を覆い、前記内側容器又は封止部材の移動を阻止するキャップを備える。
【０００８】
本開示に係る観賞容器システムは、前記内側容器は第２開口を有し、該第２開口の反対側から前記開口に挿入されており、前記開口に対して同軸的に配置される貫通孔を前記キャップは備える。
【０００９】
本開示に係る観賞容器システムは、前記観賞容器の一面から筒状の雄ねじが突出しており、前記雄ねじの端部に前記開口が形成され、前記キャップには、前記雄ねじに連結する雌ねじが形成され、前記キャップの前記開口に対向する部分によって、前記内側容器又は封止部材の移動を阻止する。
【００１０】
本開示に係る観賞容器システムは、前記封止部材は、前記雄ねじの内周面を覆う筒部と、該筒部の端部に形成され、前記開口の上縁部を覆うフランジ部とを備え、前記キャップの前記開口に対向する部分は、前記封止部材に向けて突出した突出部を備える。
【発明の効果】
【００１１】
本開示に係る観賞容器システムにあっては、封止部材によって、内側容器及び開口の隙間から保存液が漏れることを防止することができる。
【図面の簡単な説明】
【００１２】
【図１】観賞容器システムの略示正面図である。
【図２】図１に示すＩＩ−ＩＩ線を切断線とした略示断面図である。
【図３】観賞容器システムの略示分解断面図である。
【図４】貯留部に保存液及び観賞用の植物を入れ、且つ内側容器に水及び花の付いた枝を入れた観賞容器システムを示す図である。
【図５】構成の一部を変更した観賞容器システムの略示断面図である。
【発明を実施するための形態】
【００１３】
以下本発明を、実施の形態に係る観賞容器システムを示す図面に基づいて説明する。図１は、観賞容器システムの略示正面図、図２は、図１に示すＩＩ−ＩＩ線を切断線とした略示断面図、図３は、観賞容器システムの略示分解断面図である。以下の説明では、図に示す上下前後左右を使用する。
【００１４】
観賞容器システムは、観賞容器１と、封止部材５と、内側容器８と、キャップ１２とを備える。観賞容器１は、植物５１を保存する保存液５０を貯留する直方体状をなす貯留部２を備える。貯留部２は透明な又は透光性を有する部材によって構成されている。保存液５０は例えば、鉱物油を含むハーバリウム液である。貯留部２の上面の中央部分に雄ねじ３が形成されている。雄ねじ３は筒状をなし、貯留部２の上面から上方に突出している。雄ねじ３の外周面にねじ溝が形成されている。雄ねじ３の内側空間と貯留部２の内側空間は連なっている。雄ねじ３の上端に開口４が形成されている。開口４を通して保存液５０の注入又は排出が行われる。
【００１５】
封止部材５は、筒部６と、該筒部６の一端から径方向外向きに突出したフランジ部７とを備える。フランジ部７が雄ねじ３の上端部に係止するように、筒部６は雄ねじ３の開口４に挿入される。フランジ部７の外径は開口４の外径と略同じであり、フランジ部７は雄ねじ３の上端部に確実に係止する。
【００１６】
内側容器８は、物体を収納する収納部９を備える。収納部９は、一端に第２開口１１が形成された有底円筒状をなす。収納部９の第２開口１１側の端部に、径方向外向きに突出した鍔部１０が形成されている。鍔部１０の直径は、フランジ部７の内径よりも若干長い。鍔部１０がフランジ部７に係止するように、収納部９は封止部材５の内側に挿入され、収納部９は貯留部２の内側に配置される。収納部９の軸方向の長さ（上下寸法）は、観賞容器１の上下寸法よりも短い。鍔部１０がフランジ部７に係止した場合、収納部９の底は貯留部２の底から離れている。内側容器８は、第２開口１１の反対側から、封止部材５が取り付けられた雄ねじ３の開口４に挿入される。なお収納部９の軸方向の上下寸法を観賞容器１の上下寸法と略同じにしてもよい。この場合、鍔部１０がフランジ部７に係止した場合、収納部９の底は貯留部２の底と略同じ位置にある。
【００１７】
キャップ１２は、筒状の周面部１３と、該周面部１３の一端内周から径方向内側に突出した環状板１４とを備える。周面部１３の内周には雌ねじ１７が形成されている。環状板１４の中央部には、軸方向に貫通した貫通孔１５が形成されている。環状板１４には、周面部１３の他端に向けて突出した突出環１６が形成されている。
【００１８】
図２に示すように、貫通孔１５が上側に配置されるように、キャップ１２は雄ねじ３に取り付けられる。雄ねじ３及び雌ねじ１７は結合する。突出環１６と雄ねじ３の上端とによって、フランジ部７を狭持されており、封止部材５によって、内側容器８と貯留部２との間の隙間は封止されている。内側容器８の鍔部１０上面はキャップ１２の環状板１４に係止する。
【００１９】
鍔部１０は突出環１６の内側に配置され、フランジ部７の内周部分に係止している。キャップ１２、内側容器８、封止部材５及び雄ねじ３は同軸的に配置されており、キャップ１２の貫通孔１５と、収納部９の内側空間とは連なっている。
【００２０】
観賞容器システムの使用方法の一例について説明する。図４は、貯留部２に保存液５０及び観賞用の植物５１を入れ、且つ内側容器８に水及び花の付いた枝５２を入れた観賞容器システムを示す図である。観賞用の植物５１は、例えばプリザーブドフラワー又はドライフラワーである。保存液５０は、例えば鉱物油を含むハーバリウム溶液である。
【００２１】
ユーザは、例えばキャップ１２及び内側容器８を取り外し、封止部材５を取り付けた開口４から保存液５０及び植物５１を貯留部２に入れる。なお、封止部材５を取り外しておき、開口４から保存液５０及び植物５１を貯留部２に入れた後、封止部材５を開口４に取り付けてもよい。そして、内側容器８を封止部材５の内側に挿入し、キャップ１２を雄ねじ３に取り付ける。このとき、キャップ１２の環状板１４と、貯留部２の底面との間に、内側容器８は狭持される。そして、内側容器８に水を入れ、花の付いた枝５２を挿入する。
【００２２】
貯留部２は透明な又は透光性を有する部材によって構成されているので、貯留部２内の植物５１は外側から視認される。そのため、置物としての装飾効果を奏する。観賞容器システムは、花の付いた枝５２を内側容器８に挿入することによって、花瓶として使用することができる。なお内側容器８には、花の付いた枝５２のみならず、他の物体、例えばアロマオイルを入れてもよい。アロマオイルを入れることによって、観賞容器システムを芳香器として使用することができる。ユーザは内側容器８に好みの物体を入れることができる。
【００２３】
観賞容器システムにあっては、封止部材５によって、内側容器８及び開口４の隙間から保存液５０が漏れることを防止することができる。
【００２４】
内側容器８は、保存液５０中に浸かっているので、浮力が内側容器８に作用する。またハーバリウム液のような油を含む保存液５０を使用する場合、封止部材５と雄ねじ３の内周面との間の潤滑性が高まる。そのため、内側容器８には上方への力が作用し、封止部材５も上方に移動し易い。キャップ１２を設けることによって、内側容器８及び封止部材５の移動を阻止することができる。
【００２５】
キャップ１２の貫通孔１５、内側容器８、封止部材５及び雄ねじ３は同軸的に配置されているので、キャップ１２及び雄ねじ３によって、内側容器８及び封止部材５を保持し、且つ貫通孔１５を通して、物体を内側容器８に容易に収納させることができる。
【００２６】
内側容器８の鍔部１０上面はキャップ１２の環状板１４に係止する。キャップ１２の環状板１４と貯留部２の底面との間に、内側容器８は狭持される。そのため、内側容器８の移動の阻止が実現される。
【００２７】
封止部材５は、突出環１６と雄ねじ３の上端との間に狭持されるので、封止部材５の移動の阻止が実現される。フランジ部７は鍔部１０よりも下側に配置されているところ、環状板１４には、下方に突出した突出環１６が設けられている。そのため、キャップ１２を雄ねじ３に取り付けた場合に、環状板１４と突出環１６とによって、鍔部１０とフランジ部７とを略同時に係止することができる。
【００２８】
図５は、構成の一部を変更した観賞容器システムの略示断面図である。図５に示すように、鍔部１０ａの直径をフランジ部７の外径と略同じにし、鍔部１０ａの上側に突出環１６ａを形成してもよい。この場合、突出環１６ａと雄ねじ３との間に、鍔部１０ａ及びフランジ部７が狭持される。なお、突出環１６ａを設けずに、環状板１４と雄ねじ３との間に、鍔部１０ａ及びフランジ部７が狭持されてもよい。
【００２９】
なお貯留部２は、直方体状に限定されず、錐状、球状など他の形状でもよい。キャップ１２の形状は限定されず、平面視円形状でもよいし、平面視四角形状、平面視三角形状、その他の平面視多角形状でもよい。また、キャップ１２に貫通孔１５を設けなくてもよい。
【００３０】
なお突出環１６は突出部の一例であり、環状でなくてもよい。例えば、突出環１６に代えて、複数の柱状の突出部を周方向に沿って並設してもよい。
【００３１】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００３２】
１  観賞容器
３  雄ねじ
４  開口
５  封止部材
６  筒部
７  フランジ部
８  内側容器
１１  第２開口
１２  キャップ
１５  貫通孔
１６  突出環（突出部）
１７  雌ねじ
【図１】
2020137798.tif 000003
【図２】
2020137798.tif 000004
【図３】
2020137798.tif 000005
【図４】
2020137798.tif 000006
【図５】
2020137798.tif 000007